(57)【要約】【課題】選択ボタン21の口座数を増加でき、看板22を自由な位置にレイアウトできる券売機11を提供する。【解決手段】筐体13の選択ボタン設置領域16を、選択ボタン設置領域16の左右および下部が現行と同様の位置としたまま、上部については現行よりも上方であって現行の看板が設けられていたスペースまで広げる。筐体13の選択ボタン設置領域16に、選択ボタン21を設置するのに代えて看板22を設置する。筐体13に看板22を設置するための専用スペースを選択ボタン設置領域16のスペースに割り当てることにより、選択ボタン21の口座数を増加でき、看板22を自由な位置にレイアウトできる。【選択図】図１
2009048486.tif 000002
【特許請求の範囲】
【請求項１】
選択ボタン設置領域が設けられた筐体と、
この筐体の選択ボタン設置領域に設置される複数の選択ボタンと、
前記筐体の選択ボタン設置領域のいずれかに前記選択ボタンを設置するのに代えて設置される看板と
を具備していることを特徴とする券売機。
【請求項２】
選択ボタン設置領域が設けられた筐体と、
選択ボタンの取り付けおよび選択ボタンに代えた看板の取り付けが可能で、前記筐体の選択ボタン設置領域に取り付けられる複数の取付枠と
を具備していることを特徴とする券売機。
【請求項３】
前記取付枠は、前記選択ボタンが取り付けられる選択ボタン用取付枠と、前記看板が取り付けられる看板用取付枠とを備え、これら選択ボタン用取付枠および看板用取付枠は前記筐体の選択ボタン設置領域にそれぞれ取付可能とするとともにその取付構造に互換性を持たせた
ことを特徴とする請求項２記載の券売機。
【請求項４】
前記筐体の選択ボタン設置領域は、前記筐体の上部との間に前記看板を設置不可とした前記筐体の上部近傍まで設けられている
ことを特徴とする請求項１ないし３いずれか記載の券売機。
【発明の詳細な説明】
【技術分野】
【０００１】
本発明は、販売する券を選択する複数の選択ボタンが設置された券売機に関する。
【背景技術】
【０００２】
一般に、券売機の筐体の前面には、この筐体の上部寄り領域に複数の選択ボタンが設置される選択ボタン設置領域が設けられ、この選択ボタン設置領域の下方に貨幣投入部、釣銭払出口および券取出口などが設置され、また、選択ボタン設置領域とは別の場所であって選択ボタン設置領域の上方位置などに、食券、入場券、利用券、証紙などの券売機で販売する券の種類を表示する看板が設置されている（例えば、特許文献１参照。）。
【特許文献１】特開２００６−９９２５２号公報（第３−４頁、図１）
【発明の開示】
【発明が解決しようとする課題】
【０００３】
券売機の選択ボタン設置領域には複数の選択ボタンを設置しているが、外食市場などではより多くの選択ボタンを設置してより多くのメニューの食券を１台の券売機で販売させたいという要望がある。
【０００４】
このような要望に対して、従来の券売機では、選択ボタンの口座数を増加するには限度があった。これは、券売機の筐体の外形寸法は、設置済みの現行の券売機との置き換えを想定すると、現行以上に大きくできず、また、選択ボタンを小さくするとメニューが見分け難くなったり操作性が低下することから、選択ボタンを小さくできず、そのため、券売機の筐体の外形寸法および選択ボタンの大きさは現状のままで、選択ボタン設置領域を拡大しようとすると、拡大可能な方向は下方になることから、貨幣投入部、釣銭払出口および券取出口などの高さが低くなって操作性が低下してしまうことになり、したがって、選択ボタンの口座数を増加するには限度があった。
【０００５】
本発明は、このような点に鑑みなされたもので、筐体の外形寸法および選択ボタンの大きさを変更したり選択ボタン設置領域を下げて操作性を損なうようなことなく、選択ボタンの口座数を増加でき、看板を自由な位置にレイアウトできる券売機を提供することを目的とする。
【課題を解決するための手段】
【０００６】
請求項１記載の券売機は、選択ボタン設置領域が設けられた筐体と、この筐体の選択ボタン設置領域に設置される複数の選択ボタンと、前記筐体の選択ボタン設置領域のいずれかに前記選択ボタンを設置するのに代えて設置される看板とを具備しているものである。
【０００７】
請求項２記載の券売機は、選択ボタン設置領域が設けられた筐体と、選択ボタンの取り付けおよび選択ボタンに代えた看板の取り付けが可能で、前記筐体の選択ボタン設置領域に取り付けられる複数の取付枠とを具備しているものである。
【０００８】
請求項３記載の券売機は、請求項２記載の券売機において、前記取付枠は、前記選択ボタンが取り付けられる選択ボタン用取付枠と、前記看板が取り付けられる看板用取付枠とを備え、これら選択ボタン用取付枠および看板用取付枠は前記筐体の選択ボタン設置領域にそれぞれ取付可能とするとともにその取付構造に互換性を持たせたものである。
【０００９】
請求項４記載の券売機は、請求項１ないし３いずれか記載の券売機において、前記筐体の選択ボタン設置領域は、前記筐体の上部との間に前記看板を設置不可とした前記筐体の上部近傍まで設けられているものである。
【発明の効果】
【００１０】
請求項１記載の券売機によれば、筐体の選択ボタン設置領域に、選択ボタンを設置するのに代えて看板を設置できるようにしたため、筐体に看板を設置するための専用スペースを設ける必要がなく、その分のスペースを選択ボタン設置領域のスペースに割り当てて選択ボタンの口座数を増加でき、看板を自由な位置にレイアウトできる。
【００１１】
請求項２記載の券売機によれば、筐体の選択ボタン設置領域に、取付枠によって選択ボタンや看板を設置できるため、筐体の選択ボタン設置領域に選択ボタンを設置するのに代えて看板を設置することができ、筐体に看板を設置するための専用スペースを設ける必要がなく、その分のスペースを選択ボタン設置領域のスペースに割り当てて選択ボタンの口座数を増加でき、看板を自由な位置にレイアウトでき、また、看板を用いず、全て選択ボタンとすることも可能で、選択ボタンの口座数をより増加できる。
【００１２】
請求項３記載の券売機によれば、請求項２記載の券売機の効果に加えて、選択ボタン用取付枠および看板用取付枠の取付構造に互換性を持たせたため、筐体の選択ボタン設置領域に選択ボタン用取付枠および看板用取付枠をそれぞれ取り付けることができるとともにそれぞれ自由な位置にレイアウトできる。
【００１３】
請求項４記載の券売機によれば、請求項１ないし３いずれか記載の券売機の効果に加えて、筐体の選択ボタン設置領域を、筐体の上部との間に看板を設置不可とした筐体の上部近傍まで設けたため、選択ボタン設置領域を広くでき、選択ボタンの口座数を増加できる。
【発明を実施するための最良の形態】
【００１４】
以下、本発明の一実施の形態を、図面を参照して説明する。
【００１５】
図１に示すように、券売機11は、本体とこの本体の前面に開閉可能に設けられた扉体12とから構成される筐体13を具備し、筐体13の外形寸法は設置済みの現行の券売機との置き換えを想定して現行の券売機と同程度とされている。
【００１６】
筐体13の前面である扉体12の前面には、その扉体12の前面上部略全域に選択ボタン設置領域16が設けられ、この選択ボタン設置領域16の下側に貨幣を処理する貨幣処理領域17および発券した券を払い出す券取出口18が設けられている。
【００１７】
選択ボタン設置領域16には、複数の選択ボタン21が縦方向（段方向）および横方向（列方向）にそれぞれ配列されて設置され、さらに、図１(a)または図１(b)に示す各例では選択ボタン21を設置するのに代えて１つまたは２つの看板22がそれぞれ設置されている。
【００１８】
図１(a)に示す例は、例えば食堂などで食券を販売する券売機11の例であり、選択ボタン設置領域16には、食券を販売する券売機11であることを表示する看板22と、複数種のメニューを表示して選択するための複数の選択ボタン21とが設置されている。
【００１９】
図１(b)に示す例は、例えばスケート場などで入場券および貸靴券を販売する券売機11の例であり、選択ボタン設置領域16には、入場券および貸靴券を販売する券売機11であることを表示する各看板22が上下に離間してそれぞれ設置され、各看板22毎に対応して例えば大人、子供などの種類毎に選択ボタン21がそれぞれ設置されている。
【００２０】
また、図１(c)に示す例は、看板22を用いず、選択ボタン設置領域16の全体に選択ボタン21が設置された券売機11の例であり、看板22を用いない分、選択ボタン21の口座数が最も多くなる。
【００２１】
なお、図１(a)(b)(c)に示す各例とも、扉体12は同じものであって、選択ボタン設置領域16の大きさは同じであり、設置場所での運用に応じて看板22の設置の有無、位置および数などが任意に選択される。
【００２２】
そして、選択ボタン設置領域16は、扉体12に対して選択ボタン設置領域16の左右および下部が現行と同様の位置に設けられているとしても、上部については現行よりも上方であって現行の看板が設けられているスペースにまで広げられていて、扉体12の上部との間に看板22を設置不可とした扉体12の上部近傍まで設けられている。
【００２３】
貨幣処理領域17には、貨幣投入部としての硬貨投入口25および紙幣投入口26、投入金額を表示する表示部27、釣銭の返却を指示する釣銭ボタン28、返却を指示する返却ボタン29、係員を呼び出す呼出ボタン30、硬貨分の釣銭や返却硬貨を払い出す返却口31が設置されている。
【００２４】
扉体12の後面側には、図示しないが、硬貨識別ユニット、紙幣識別ユニットおよび発券ユニットなどが設置されている。硬貨識別ユニットは、硬貨投入口25に投入される硬貨を識別し、受け入れる硬貨をホッパへ収納し、このホッパからは釣銭を払い出すように構成されている。また、紙幣識別ユニットは、紙幣投入口26に投入される紙幣を識別し、受け入れる紙幣をスタッカに収納するように構成されている。また、発券ユニットは、感熱ロール紙にサーマルヘッドで印字し、印字した感熱ロール紙の箇所を所定の長さに切断し、券として発券する。
【００２５】
次に、図２に示すように、扉体12には、選択ボタン設置領域16の全体域に対応して開口部34が形成され、この開口部34の両側に後方へ向けて取付片35が折曲され、この両側の取付片35には被取付部としての複数の取付孔36が選択ボタン21の１段毎の高さ位置に対応して形成されている。
【００２６】
図２および図３に示すように、選択ボタン21および看板22は、それぞれ取付枠39に取り付けられ、この取付枠39によって扉体12に着脱可能に取り付けられる。この取付枠39は、主に複数の選択ボタン21を取り付ける選択ボタン用取付枠39aと、主に看板22を取り付ける看板用取付枠39bとを備え、これら選択ボタン用取付枠39aと看板用取付枠39bとが券売機11の設置場所での運用に応じて適宜用いられている。
【００２７】
取付枠39は、上枠部40、この上枠部40の両側から下方へ折曲された両側の側枠部41、これら両側の側枠部41の下端間を連結する下枠部42を有する四角形枠状に形成され、内側には前後方向に開口していて左右幅方向に複数の選択ボタン21が並列に配列されて取り付けられる選択ボタン取付部44が形成されている。上枠部40の後縁には取付枠39に取り付けられる選択ボタン21を係止するための複数の係止溝43が形成され、両側の側枠部41には取付部としての複数の取付孔45が形成されている。そして、取付枠39が選択ボタン設置領域16の所定位置に配置されることにより、取付枠39の各取付孔45と選択ボタン設置領域16の各取付孔36とが対向し、図示しない取付具としての各取付ねじが取付孔45を挿通して取付孔36に螺着されることにより、あるいは図示しない取付具としての各取付ねじが取付孔36を挿通して取付孔45に螺着されることにより、取付枠39が選択ボタン設置領域16に配置された状態で扉体12に取り付けられる。
【００２８】
選択ボタン用取付枠39aは、本例では１段用を示しているが、２段用や３段用などの複数段用に一体的に形成されていてもよい。
【００２９】
看板用取付枠39bは、図３(a)に示すように、例えば２段用で、看板用取付枠39b内の一側に看板22を着脱可能に取り付ける看板取付部46が取り付けられ、他側に上下２段の選択ボタン取付部44が形成されている。２段用の場合には、各段の位置に対応して取付孔45がそれぞれ設けられている。看板用取付枠39bは、本例では、２段用を示しているが、１段用でも、３段用などの複数段用に形成されていてもよい。
【００３０】
また、取付枠39の横幅は、開口部34の横幅と同じ幅に形成されていてもよいし、例えば開口部34の横幅の半分の長さなどに分割形成されていて複数の取付枠39を互いに連結して開口部34の横幅と同じ幅に構成してもよい。
【００３１】
次に、図４に示すように、選択ボタン21は、取付枠39に着脱可能に取り付けられる四角形状の本体部49、この本体部49の前面に押下可能に設けられたボタン部50を有している。
【００３２】
本体部49は、取付枠39の選択ボタン取付部44に前方から差し込まれて取り付けられるもので、本体部49の前端周辺部には取付枠39の前縁に当接して取り付けられるフランジ部51が形成され、本体部49の後端上下部には取付枠39の係止溝43に係止する係止爪52が形成されており、取付枠39の前縁に当接したフランジ部51と取付枠39の係止溝43に係止した係止爪52との間に取付枠39の上枠部40および下枠部42を挟み込んで係止する。
【００３３】
ボタン部50には、例えばメニューの名前、写真、価格などの表示パネルを着脱可能とし、例えばＬＥＤで構成される販売可能ランプや売切表示ランプなどを備えている。
【００３４】
選択ボタン21は、本例では、１種類のみを示しているが、例えば、標準型、中型、大型といった幅や高さ寸法の異なる複数種類を用い、取付枠39に一緒に取り付けるようにしてもよい。
【００３５】
次に、本実施の形態の作用を説明する。
【００３６】
図１(a)に示すように、券売機11を食券の販売に運用する場合には、選択ボタン設置領域16の一部に食券の看板22を設置し、選択ボタン設置領域16の看板22の設置位置を除いた他の位置に複数の選択ボタン21を設置し、これら各選択ボタン21にメニューを設定する。
【００３７】
また、図１(b)に示すように、券売機11を入場券と貸靴券の販売に運用する場合には、選択ボタン設置領域16の一部に入場券の看板22と貸靴券の看板22とを上下に離間して設置し、選択ボタン設置領域16の各看板22の設置位置を除いた他の位置に複数の選択ボタン21を設置し、各看板22の設置位置に対応して設置された各選択ボタン21に入場券と貸靴券とに対応した内容を設定する。
【００３８】
また、図１(c)に示すように、看板22で券種類を表示しなくてもよい場合や、選択ボタン21の口座数をより多くしたい場合には、選択ボタン設置領域16には看板22を設置せず、選択ボタン設置領域16の全域に選択ボタン21を設置して運用する。
【００３９】
そして、選択ボタン設置領域16は、扉体12に対して選択ボタン設置領域16の左右および下部が現行と同様の位置に設けられているとしても、上部については現行よりも上方であって現行の看板が設けられているスペースにまで広げられていて、扉体12の上部との間に看板22を設置不可とした扉体12の上部近傍まで設けられている。
【００４０】
この広げられた選択ボタン設置領域16には、選択ボタン21を設置するのに代えて看板22を設置できるようにしている。
【００４１】
そのため、扉体12に看板22を設置するための専用スペースを設ける必要がなく、その分のスペースを選択ボタン設置領域16のスペースに割り当てて選択ボタン21の口座数を増加でき、そのうえ、看板22を自由な位置にレイアウトできる。
【００４２】
また、選択ボタン設置領域16に、選択ボタン21や看板22を直接設置するのではなく、取付枠39を介して設置する構造であるため、看板22の設置に容易に対応できるとともに看板22のレイアウトの変更にも容易に対応できる。
【００４３】
また、取付枠39の選択ボタン用取付枠39aおよび看板用取付枠39bの取付構造に互換性を持たせたため、扉体12の選択ボタン設置領域16に選択ボタン用取付枠39aおよび看板用取付枠39bをそれぞれ取り付けることができるとともに、それぞれ自由な位置にレイアウトできる。
【図面の簡単な説明】
【００４４】
【図１】本発明の一実施の形態を示す券売機を示し、(a)は１つの看板を設置した例を示す正面図、(b)は２つの看板を設置した例を示す正面図、(c)は看板無しの例を示す正面図である。
【図２】同上券売機の選択ボタン設置領域の分解状態の斜視図である。
【図３】同上券売機の取付枠を示し、(a)は看板用取付枠の斜視図、(b)は選択ボタン用取付枠の斜視図である。
【図４】同上券売機の選択ボタンの斜視図である。
【符号の説明】
【００４５】
11    券売機
13    筐体
16    選択ボタン設置領域
21    選択ボタン
22    看板
39    取付枠
39a   選択ボタン用取付枠
39b   看板用取付枠
【図１】
2009048486.tif 000003
【図２】
2009048486.tif 000004
【図３】
2009048486.tif 000005
【図４】
2009048486.tif 000006